(57)【要約】【課題】通知情報によるオーバヘッドが増加することなく、移動局でのブラインド復号の回数を削減すること。【解決手段】通知情報によるオーバヘッドが増加することなく、移動局でのブラインド復号の回数を削減することができる無線通信基地局装置。この装置において、ＣＣＥ割当部（１０４）は、変調部（１０３−１）〜（１０３−Ｋ）から入力されるＰＤＣＣＨに割り当てられた割当情報を、複数のサーチスペースのうち、そのＰＤＣＣＨのＣＣＥアグリゲーションサイズに対応する特定のサーチスペースに割り当てる。そして、配置部（１０８）は、割当情報をＰＤＣＣＨ用に確保された下り回線リソースのうち割り当てた特定のサーチスペースのＣＣＥに対応する下り回線リソースに配置する。そして、無線送信部（１１１）は、割当情報が配置されたＯＦＤＭシンボルをアンテナ（１１２）から移動局へ送信する。【選択図】図１
2010279053.tif 000002
【特許請求の範囲】
【請求項１】
一つ又は連続する番号の複数のコントロール・チャネル・エレメント（ＣＣＥ）で基地局装置から送信される制御チャネルを受信する受信処理と、
復号対象である複数の制御チャネルによって定義され、複数の前記ＣＣＥから構成されるサーチスペースにおいて、受信した前記制御チャネルを復号する復号処理と、
を制御する集積回路であって、
前記サーチスペースは、前記制御チャネルが送信される前記ＣＣＥの数に応じた特定の複数の前記ＣＣＥから構成される、
集積回路。
【請求項２】
前記受信処理は、前記制御チャネルを介して制御情報を受信し、
前記復号処理は、前記制御情報に対する前記制御チャネルを復号する、
請求項１に記載の集積回路。
【請求項３】
前記サーチスペースは、前記制御チャネルが送信される前記ＣＣＥの数に応じた特定のＣＣＥ番号から定義される、
請求項１又は２に記載の集積回路。
【請求項４】
前記サーチスペースは、前記制御チャネルが送信される前記ＣＣＥの数に応じた特定のＣＣＥ番号を開始位置として、特定の数分の前記ＣＣＥから定義される、
請求項１から３のいずれかに記載の集積回路。
【請求項５】
前記サーチスペースは、前記制御チャネルが送信される前記ＣＣＥの数に応じた特定のＣＣＥ番号を開始位置として、前記復号対象である複数の制御チャネルに対応するＣＣＥ数分の前記ＣＣＥから定義される、
請求項１から４のいずれかに記載の集積回路。
【請求項６】
前記サーチスペースを構成する前記複数のＣＣＥのうち、最小番号のＣＣＥが、前記制御チャネルが送信される前記ＣＣＥの数に応じた特定のＣＣＥである、
請求項１から５のいずれかに記載の集積回路。
【請求項７】
前記サーチスペースを構成する前記複数のＣＣＥのうち、最小番号のＣＣＥが、前記制御チャネルが送信される前記ＣＣＥの数に応じて異なる、
請求項１から６のいずれかに記載の集積回路。
【請求項８】
前記サーチスペースの開始位置であるＣＣＥ番号が、前記制御チャネルが送信される前記ＣＣＥの数に応じた特定のＣＣＥ番号である、
請求項１から７のいずれかに記載の集積回路。
【請求項９】
前記サーチスペースの開始位置であるＣＣＥ番号が、前記制御チャネルが送信される前記ＣＣＥの数に応じて異なる、
請求項１から８のいずれかに記載の集積回路。
【請求項１０】
前記サーチスペースは、前記制御チャネルが送信される前記ＣＣＥの数が多いほど、少ない数の復号対象である前記複数の制御チャネルによって定義される、
請求項１から９のいずれかに記載の集積回路。
【請求項１１】
前記サーチスペースは、前記ＣＣＥの総数に応じて定義される、
請求項１から１０のいずれかに記載の集積回路。
【請求項１２】
前記サーチスペースは、前記基地局装置から通知される一サブフレーム内の制御情報のシンボル数を示すＣＦＩの値に基づく前記ＣＣＥの総数に応じて定義される、
請求項１から１１のいずれかに記載の集積回路。
【請求項１３】
前記サーチスペースは、移動局装置毎に定義される、
請求項１から１２のいずれかに記載の集積回路。
【請求項１４】
前記受信処理は、前記制御チャネルを介して、ＣＲＣビットが付加された制御情報を受信し、
前記復号処理は、前記制御情報に対してＣＲＣによる誤り検出を行い、前記制御チャネルを復号する、
請求項１から１３のいずれかに記載の集積回路。
【請求項１５】
前記受信処理は、前記制御チャネルを介して、移動局装置のＩＤ番号でスクランブリングされたＣＲＣビットが付加された制御情報を受信し、
前記復号処理は、前記サーチスペースにおける前記復号対象である複数の制御チャネルの制御情報に対して、自装置のＩＤ番号を用いたＣＲＣによる誤り検出を行い、自装置宛の前記制御チャネルを復号する、
請求項１から１４のいずれかに記載の集積回路。
【請求項１６】
制御チャネルを、複数のコントロール・チャネル・エレメント（ＣＣＥ）から構成されるサーチスペース内の、一つ又は連続する番号の複数の前記ＣＣＥに割り当てる、割当処理と、
割り当てられた前記制御チャネルを、移動局装置に送信する送信処理と、
を制御する集積回路であって、
前記サーチスペースは、前記制御チャネルが割り当てられる前記ＣＣＥの数に応じた特定の前記複数のＣＣＥから構成される、
集積回路。
【請求項１７】
前記サーチスペースは、前記制御チャネルが割り当てられる前記ＣＣＥの数に応じた特定のＣＣＥ番号から定義される、
請求項１６に記載の集積回路。
【請求項１８】
前記サーチスペースは、前記制御チャネルが割り当てられる前記ＣＣＥの数に応じた特定のＣＣＥ番号を開始位置として、特定の数分のＣＣＥから定義される、
請求項１６又は１７に記載の集積回路。
【請求項１９】
前記サーチスペースは、前記制御チャネルが割り当てられる前記ＣＣＥの数に応じた特定のＣＣＥ番号を開始位置として、前記移動局装置による復号対象である複数の制御チャネルに対応するＣＣＥ数分の前記ＣＣＥから定義される、
請求項１６から１８のいずれかに記載の集積回路。
【請求項２０】
前記サーチスペースを構成する前記複数のＣＣＥのうち、最小番号のＣＣＥが、前記制御チャネルが割り当てられる前記ＣＣＥの数に応じた特定のＣＣＥである、
請求項１６から１９のいずれかに記載の集積回路。
【請求項２１】
前記サーチスペースを構成する前記複数のＣＣＥのうち、最小番号のＣＣＥが、前記制御チャネルが割り当てられる前記ＣＣＥの数に応じて異なる、
請求項１６から２０のいずれかに記載の集積回路。
【請求項２２】
前記サーチスペースの開始位置であるＣＣＥ番号が、前記制御チャネルが割り当てられる前記ＣＣＥの数に応じた特定のＣＣＥ番号である、
請求項１６から２１のいずれかに記載の集積回路。
【請求項２３】
前記サーチスペースの開始位置であるＣＣＥ番号が、前記制御チャネルが割り当てられる前記ＣＣＥの数に応じて異なる、
請求項１６から２２のいずれかに記載の集積回路。
【請求項２４】
前記サーチスペースは、前記制御チャネルが割り当てられる前記ＣＣＥの数が多いほど、割り当て可能な制御チャネルの数が少ない、
請求項１６から２３のいずれかに記載の集積回路。
【請求項２５】
前記サーチスペースは、前記ＣＣＥの総数に応じて定義される、
請求項１６から２４のいずれかに記載の集積回路。
【請求項２６】
前記送信処理は、一サブフレーム内の制御情報のシンボル数を示すＣＦＩを送信し、
前記サーチスペースは、前記ＣＦＩの値に基づく前記ＣＣＥの総数に応じて定義される、
請求項１６から２５のいずれかに記載の集積回路。
【請求項２７】
前記サーチスペースは、移動局装置毎に定義される、
請求項１６から２６のいずれかに記載の集積回路。
【請求項２８】
前記送信処理は、移動局装置のＩＤ番号でスクランブリングされたＣＲＣビットが付加された制御情報を、前記制御チャネルを介して送信する、
請求項１６から２７のいずれかに記載の集積回路。
【発明の詳細な説明】
【技術分野】
【０００１】
本発明は、集積回路に関する。
【背景技術】
【０００２】
移動体通信では、無線通信基地局装置（以下、基地局と省略する）から無線通信移動局装置（以下、移動局と省略する）への下り回線データに対してＡＲＱ（Automatic Repeat Request）が適用される。つまり、移動局は下り回線データの誤り検出結果を示す応答信号を基地局へフィードバックする。移動局は下り回線データに対しＣＲＣ（Cyclic Redundancy Check）を行って、ＣＲＣ＝ＯＫ（誤り無し）であればＡＣＫ（Acknowledgment）を、ＣＲＣ＝ＮＧ（誤り有り）であればＮＡＣＫ（Negative Acknowledgment）を応答信号として基地局へフィードバックする。この応答信号は例えばＰＵＣＣＨ（Physical Uplink Control Channel）等の上り回線制御チャネルを用いて基地局へ送信される。
【０００３】
また、基地局は下り回線データおよび上り回線データのリソース割当結果を通知するための制御情報を移動局へ送信する。この制御情報は例えばＰＤＣＣＨ（Physical Downlink Control Channel）等の下り回線制御チャネルを用いて移動局へ送信される。各ＰＤＣＣＨは１つまたは連続する複数のＣＣＥ（Control Channel Element）を占有する。基地局は移動局毎にＰＤＣＣＨを生成し、制御情報が必要とするＣＣＥ数に従ってＰＤＣＣＨに占有すべきＣＣＥを割り当て、割り当てたＣＣＥに対応する物理リソースに制御情報をマッピングして送信する。
【０００４】
例えば、伝搬路品質の劣悪なセル境界付近に位置する移動局に対しては、所望受信品質を満たすために、ＭＣＳ（Modulation and Coding Scheme）レベルが低いＭＣＳを設定する必要がある。そこで、基地局では、より多くのＣＣＥ（例えば８つのＣＣＥ）を占有したＰＤＣＣＨが送信される。一方、伝搬路品質の良好なセル中心付近に位置する移動局に対してはＭＣＳレベルが高いＭＣＳを設定しても所要受信品質を満たすことができる。そのため、基地局では、より少ないＣＣＥ（例えば、１つのＣＣＥ）を占有したＰＤＣＣＨが送信される。ここで、１つのＰＤＣＣＨが占有するＣＣＥの数をＣＣＥアグリゲーションサイズ（CCE Aggregation size）と呼ぶ。
【０００５】
また、基地局は１サブフレームに複数の移動局を割り当てるため、複数のＰＤＣＣＨを同時に送信する。このとき、基地局では、各ＰＤＣＣＨの送信先の移動局を識別するために、送信先の移動局ＩＤ番号でスクランブリングされたＣＲＣビットが制御情報に含まれて送信される。そして、移動局では、ＰＤＣＣＨが配置される可能性があるＣＣＥに対して復号を行い、自局の移動局ＩＤ番号でＣＲＣビットをデスクランブリングした後にＣＲＣ判定を行う。このように、移動局は、受信信号に含まれる複数のＰＤＣＣＨをブラインド復号することにより自局宛てのＰＤＣＣＨを検出する。
【０００６】
ただし、ＣＣＥ総数が多い場合には、移動局でのブラインド復号の回数が多くなる。そこで、移動局でのブラインド復号の回数を削減することを目的として、ブラインド復号の対象となるＣＣＥを、移動局毎に限定する方法が検討されている（非特許文献１参照）。この方法では、複数の移動局をグループ化して、グループ毎にブラインド復号対象となるＣＣＥであるＣＣＥ領域を限定する。これにより、各グループの移動局では、自局に割り当てられたＣＣＥ領域に対してのみ、ブラインド復号を行えばよいため、ブラインド復号の回数を削減することができる。ここで、移動局によるブラインド復号対象となるＣＣＥ領域をサーチスペース（Search Space）と呼ぶ。
【０００７】
また、応答信号の送信に用いるＰＵＣＣＨを基地局から各移動局へ通知するためのシグナリングを不要にして下り回線の通信リソースを効率よく使用するために、ＣＣＥとＰＵＣＣＨとを１対１で対応付けることが検討されている（非特許文献２参照）。各移動局は、この対応付けに従って、自局への制御情報がマッピングされている物理リソースに対応するＣＣＥから、自局からの応答信号の送信に用いるＰＵＣＣＨを判定することができる。よって、各移動局は、自局への制御情報がマッピングされている物理リソースに対応するＣＣＥに基づいて、自局からの応答信号を物理リソースにマッピングする。
【先行技術文献】
【非特許文献】
【０００８】
【非特許文献１】3GPP RAN WG1 Meeting document, R1-073996, “Search Space definition :Reduced PDCCH blind detection for split PDCCH search space”, Motorola
【非特許文献２】3GPP RAN WG1 Meeting document, R1-073620, “Clarification of Implicit Resource Allocation of Uplink ACK/NACK Signal”, Panasonic
【発明の概要】
【発明が解決しようとする課題】
【０００９】
しかしながら、複数の移動局をグループ化して、グループ毎にサーチスペースを設定する場合、基地局は各移動局のサーチスペースを示すサーチスペース情報を各移動局に対して通知する必要がある。よって、上記従来技術では、通知情報によるオーバヘッドが増加してしまう。
【００１０】
本発明の目的は、通知情報によるオーバヘッドが増加することなく、移動局でのブラインド復号の回数を削減することができる集積回路を提供することである。
【課題を解決するための手段】
【００１１】
本発明の一つの態様に係る無線通信基地局装置は、１つまたは複数のＣＣＥを占有する制御チャネルを、複数のＣＣＥ領域のうち前記制御チャネルのＣＣＥ占有数に対応する特定のＣＣＥ領域に割り当てる割当手段と、前記特定のＣＣＥ領域に割り当てられた前記制御チャネルを送信する送信手段と、を具備する構成を採る。
【発明の効果】
【００１２】
本発明によれば、通知情報によるオーバヘッドが増加することなく、移動局でのブラインド復号の回数を削減することができる。
【図面の簡単な説明】
【００１３】
【図１】本発明の実施の形態１に係る基地局の構成を示すブロック図
【図２】本発明の実施の形態１に係る移動局の構成を示すブロック図
【図３】本発明の実施の形態１に係るサーチスペース情報を示す図
【図４】本発明の実施の形態１に係るサーチスペースを示す図
【図５】本発明の実施の形態１に係るＣＣＥ割当例を示す図
【図６】本発明の実施の形態１に係るサーチスペース情報を示す図（セルサイズが大きい場合）
【図７】本発明の実施の形態１に係るサーチスペースを示す図（セルサイズが大きい場合）
【図８】本発明の実施の形態２に係るサーチスペースを示す図
【図９】本発明の実施の形態３に係るサーチスペースを示す図（割当方法１）
【図１０】本発明の実施の形態３に係るサーチスペースを示す図（割当方法２）
【図１１】本発明の実施の形態４に係るサーチスペースを示す図（ＣＦＩ＝３）
【図１２】本発明の実施の形態４に係るサーチスペースを示す図（ＣＦＩ＝２）
【図１３】本発明の実施の形態４に係るサーチスペースを示す図（ＣＦＩ＝１）
【図１４】本発明の実施の形態５に係るＰＵＣＣＨに対応する物理リソースの使用に関する優先順位を示す図
【図１５】本発明の実施の形態５に係るＰＵＣＣＨリソースを示す図（ＣＦＩ＝３）
【図１６】本発明の実施の形態５に係るＰＵＣＣＨリソースを示す図（ＣＦＩ＝２）
【図１７】本発明の実施の形態５に係るＰＵＣＣＨリソースを示す図（ＣＦＩ＝１）
【図１８】その他のサーチスペースを示す図（例１）
【図１９】その他のサーチスペースを示す図（例２）
【発明を実施するための形態】
【００１４】
以下、本発明の実施の形態について、添付図面を参照して詳細に説明する。以下の説明では、ＰＤＣＣＨが割り当てられるＣＣＥの総数をＣＣＥ＃０〜ＣＣＥ＃３１の３２個とし、ＰＤＣＣＨのＣＣＥアグリゲーションサイズを１，２，４，８とする。また、１つのＰＤＣＣＨが複数のＣＣＥを占有する場合、１つのＰＤＣＣＨは連続する複数のＣＣＥを占有するものとする。
【００１５】
また、以下の説明では、ＰＵＣＣＨに対する１次拡散にＺＡＣ（Zero Auto Correlation）系列を用い、２次拡散にＬＢ（Long Block）単位での拡散に用いられる拡散コード系列であるブロックワイズ拡散コード系列（Block-wise spreading code sequence）を用いる場合について説明する。しかし、１次拡散には、ＺＡＣ系列以外の、互いに異なる循環シフト量により互いに分離可能な系列を用いてもよい。例えば、ＧＣＬ（Generalized Chirp like）系列、ＣＡＺＡＣ（Constant Amplitude Zero Auto Correlation）系列、ＺＣ（Zadoff-Chu）系列、または、Ｍ系列や直交ゴールド符号系列等のＰＮ系列を１次拡散に用いてもよい。また、２次拡散には、互いに直交する系列、または、互いにほぼ直交すると見なせる系列であればいかなる系列をブロックワイズ拡散コード系列として用いてもよい。例えば、ウォルシュ系列またはフーリエ系列等をブロックワイズ拡散コード系列として２次拡散に用いることができる。
【００１６】
また、以下の説明では、ＣＣＥ番号とＰＵＣＣＨ番号とが対応付けられているものとする。つまり、上り回線データの割当に使用されたＰＤＣＣＨに用いられたＣＣＥ番号からＰＵＣＣＨ番号が導出される。
【００１７】
（実施の形態１）
本実施の形態に係る基地局１００の構成を図１に示し、本実施の形態に係る移動局２００の構成を図２に示す。
【００１８】
なお、説明が煩雑になることを避けるために、図１では、本発明と密接に関連する下り回線データの送信、および、その下り回線データに対する応答信号の上り回線での受信に係わる構成部を示し、上り回線データの受信に係わる構成部の図示および説明を省略する。同様に、図２では、本発明と密接に関連する下り回線データの受信、および、その下り回線データに対する応答信号の上り回線での送信に係わる構成部を示し、上り回線データの送信に係わる構成部の図示および説明を省略する。
【００１９】
図１に示す基地局１００において、符号化部１０１には、セルサイズおよび置局環境などにより決定されたサーチスペースの定義を示すサーチスペース情報が入力される。符号化部１０１は、入力されるサーチスペース情報を符号化して変調部１０２に出力する。そして、変調部１０２は、符号化部１０１から入力される符号化後のサーチスペース情報を変調して配置部１０８に出力する。
【００２０】
符号化・変調部１０３−１〜１０３−Ｋには、各移動局宛ての上り回線データまたは下り回線データのリソース割当情報が入力される。ここで、各割当情報は、割当情報の送信に必要なＣＣＥアグリゲーションサイズのＰＤＣＣＨに割り当てられている。また、符号化・変調部１０３−１〜１０３−Ｋは、最大Ｋ個の移動局＃１〜＃Ｋに対応して備えられる。符号化・変調部１０３−１〜１０３−Ｋにおいて、各符号化部１１は、入力されるＰＤＣＣＨに割り当てられた割当情報を符号化して各変調部１２に出力する。そして、各変調部１２は、各符号化部１１から入力される符号化後の各割当情報を変調してＣＣＥ割当部１０４に出力する。
【００２１】
ＣＣＥ割当部１０４は、変調部１０３−１〜１０３−Ｋから入力される割当情報を、サーチスペース情報に基づいて１つまたは複数のＣＣＥのいずれかに割り当てる。具体的には、ＣＣＥ割当部１０４は、ＰＤＣＣＨを、複数のサーチスペースのうち、そのＰＤＣＣＨのＣＣＥアグリゲーションサイズに対応する特定のサーチスペースに割り当てる。そして、ＣＣＥ割当部１０４は、各ＣＣＥに割り当てられた割当情報を配置部１０８に出力する。ＣＣＥ割当部１０４におけるＣＣＥ割当方法の詳細については後述する。
【００２２】
一方、符号化部１０５は、入力される送信データ（下り回線データ）を符号化して再送制御部１０６に出力する。なお、複数の移動局に対する送信データがある場合、符号化部１０５は、各移動局宛ての送信データをそれぞれ符号化する。
【００２３】
再送制御部１０６は、初回送信時には、符号化後の送信データを移動局毎に保持するとともに変調部１０７に出力する。再送制御部１０６は、各移動局からのＡＣＫが判定部１１７から入力されるまで送信データを保持する。また、再送制御部１０６は、各移動局からのＮＡＣＫが判定部１１７から入力された場合、すなわち、再送時には、そのＮＡＣＫに対応する送信データを変調部１０７に出力する。
【００２４】
変調部１０７は、再送制御部１０６から入力される符号化後の送信データを変調して配置部１０８に出力する。
【００２５】
配置部１０８は、割当情報をＰＤＣＣＨ用に確保された下り回線リソースのうち割り当てたＣＣＥに対応する下り回線リソースに配置し、サーチスペース情報をブロードキャストチャネル用に確保された下り回線リソースに配置し、送信データを送信データ用に確保された下り回線リソースに配置する。そして、配置部１０８は、各チャネルを配置した後の信号をＩＦＦＴ（Inverse Fast Fourier Transform）部１０９に出力する。
【００２６】
ＩＦＦＴ部１０９は、割当情報、サーチスペース情報または送信データが配置された複数のサブキャリアに対してＩＦＦＴを行ってＯＦＤＭシンボルを生成し、ＣＰ（Cyclic Prefix）付加部１１０に出力する。
【００２７】
ＣＰ付加部１１０は、ＯＦＤＭシンボルの後尾部分と同じ信号をＣＰとしてＯＦＤＭシンボルの先頭に付加する。
【００２８】
無線送信部１１１は、ＣＰ付加後のＯＦＤＭシンボルに対しＤ／Ａ変換、増幅およびアップコンバート等の送信処理を行ってアンテナ１１２から移動局２００（図２）へ送信する。
【００２９】
一方、無線受信部１１３は、各移動局から送信されたＳＣ−ＦＤＭＡ（Single-Carrier Frequency Division Multiple Access）シンボルをアンテナ１１２を介して受信し、このＳＣ−ＦＤＭＡシンボルに対しダウンコンバート、Ａ／Ｄ変換等の受信処理を行う。
【００３０】
ＣＰ除去部１１４は、受信処理後のＳＣ−ＦＤＭＡシンボルに付加されているＣＰを除去する。
【００３１】
逆拡散部１１５は、移動局２００において２次拡散に用いられたブロックワイズ拡散コード系列で応答信号を逆拡散し、逆拡散後の応答信号を相関処理部１１６に出力する。
【００３２】
相関処理部１１６は、逆拡散後の応答信号と、移動局２００において１次拡散に用いられたＺＡＣ系列との相関値を求めて判定部１１７に出力する。
【００３３】
判定部１１７は、各検出窓に移動局毎の相関ピークを検出することにより、移動局毎の応答信号を検出する。例えば、判定部１１７は、移動局＃０用の検出窓＃０に相関ピークが検出された場合には、移動局＃０からの応答信号を検出する。そして、判定部１１７は、検出された応答信号がＡＣＫまたはＮＡＣＫのいずれであるかを参照信号の相関値を用いた同期検波によって判定し、移動局毎のＡＣＫまたはＮＡＣＫを再送制御部１０６に出力する。
【００３４】
一方、図２に示す移動局２００では、基地局１００から送信されたサーチスペース情報、割当情報、下り回線データをそれぞれ受信する。以下、各情報の受信方法について説明する。
【００３５】
図２に示す移動局２００において、無線受信部２０２は、基地局１００（図１）から送信されたＯＦＤＭシンボルをアンテナ２０１を介して受信し、ＯＦＤＭシンボルに対しダウンコンバート、Ａ／Ｄ変換等の受信処理を行う。
【００３６】
ＣＰ除去部２０３は、受信処理後のＯＦＤＭシンボルに付加されているＣＰを除去する。
【００３７】
ＦＦＴ（Fast Fourier Transform）部２０４は、ＯＦＤＭシンボルに対してＦＦＴを行って複数のサブキャリアにマッピングされている割当情報、サーチスペース情報を含む報知情報、または、下り回線データを得て、それらを分離部２０５に出力する。
【００３８】
分離部２０５は、ＦＦＴ部２０４から入力される信号に対して、ブロードキャストチャネル用に予め確保されたリソースに配置されている報知情報を分離して報知情報復号部２０６に出力し、報知情報以外の情報を抽出部２０７に出力する。
【００３９】
報知情報復号部２０６は、分離部２０５から入力される報知情報を復号して、サーチスペース情報を取り出し、サーチスペース情報を抽出部２０７に出力する。
【００４０】
抽出部２０７および復号部２０９に対して、割当情報の符号化率を示す符号化率情報、すなわち、ＰＤＣＣＨのＣＣＥアグリゲーションサイズを示す情報が予め入力されているとする。
【００４１】
また、抽出部２０７は、割当情報の受信時には、入力されるＣＣＥアグリゲーションサイズおよびサーチスペース情報に従って、複数のサブキャリアから割当情報を抽出して復調部２０８に出力する。
【００４２】
復調部２０８は、割当情報を復調して復号部２０９に出力する。
【００４３】
復号部２０９は、入力されるＣＣＥアグリゲーションサイズに従って割当情報を復号して判定部２１０に出力する。
【００４４】
一方、下り回線データの受信時には、抽出部２０７は、判定部２１０から入力されるリソース割当結果に従って、複数のサブキャリアから自局宛の下り回線データを抽出して復調部２１２に出力する。この下り回線データは、復調部２１２で復調され、復号部２１３で復号されてＣＲＣ部２１４に入力される。
【００４５】
ＣＲＣ部２１４は、復号後の下り回線データに対してＣＲＣを用いた誤り検出を行って、ＣＲＣ＝ＯＫ（誤り無し）の場合はＡＣＫを、ＣＲＣ＝ＮＧ（誤り有り）の場合はＮＡＣＫを応答信号として生成し、生成した応答信号を変調部２１５に出力する。また、ＣＲＣ部２１４は、ＣＲＣ＝ＯＫ（誤り無し）の場合、復号後の下り回線データを受信データとして出力する。
【００４６】
判定部２１０は、復号部２０９から入力された割当情報を自局宛の割当情報であるか否かをブラインド判定する。具体的には、判定部２１０は、復号部２０９から入力された割当情報に対して自局宛ての割当情報であるか否かをブラインド判定する。例えば、判定部２１０は、自局のＩＤ番号でＣＲＣビットをデマスキングすることによりＣＲＣ＝ＯＫ（誤り無し）となった割当情報を自局宛の割当情報であると判定する。そして、判定部２１０は、自局宛の割当情報、すなわち、自局に対する下り回線データのリソース割当結果を抽出部２０７に出力する。
【００４７】
また、判定部２１０は、自局宛の割当情報が割り当てられたＰＤＣＣＨが配置されていたサブキャリアに対応するＣＣＥ番号から、自局からの応答信号の送信に用いるＰＵＣＣＨを判定し、判定結果（ＰＵＣＣＨ番号）を制御部２１１に出力する。例えば、判定部２１０は、自局宛のＰＤＣＣＨが配置されていたサブキャリアに対応するＣＣＥがＣＣＥ＃０である場合は、ＣＣＥ＃０に対応するＰＵＣＣＨ＃０を自局用のＰＵＣＣＨと判定する。また例えば判定部２１０は、自局宛のＰＤＣＣＨが配置されていたサブキャリアに対応するＣＣＥがＣＣＥ＃０〜ＣＣＥ＃３である場合は、ＣＣＥ＃０〜ＣＣＥ＃３において最小番号のＣＣＥ＃０に対応するＰＵＣＣＨ＃０を自局用のＰＵＣＣＨと判定する。
【００４８】
制御部２１１は、判定部２１０から入力されたＰＵＣＣＨ番号に従って、拡散部２１６での１次拡散に用いるＺＡＣ系列の循環シフト量および拡散部２１９での２次拡散に用いるブロックワイズ拡散コード系列を制御する。例えば、制御部２１１は、判定部２１０から入力されたＰＵＣＣＨ番号に対応する循環シフト量のＺＡＣ系列をＺＡＣ＃０〜ＺＡＣ＃１１の１２個のＺＡＣの中から選択して拡散部２１６に設定し、判定部２１０から入力されたＰＵＣＣＨ番号に対応するブロックワイズ拡散コード系列をＢＷ＃０〜ＢＷ＃２の３個のブロックワイズ拡散コード系列の中から選択して拡散部２１９に設定する。つまり、制御部２１１は、ＺＡＣ＃０〜ＺＡＣ＃１１とＢＷ＃０〜ＢＷ＃２とによって定義される複数のリソースのうちいずれかのリソースを選択する。
【００４９】
変調部２１５は、ＣＲＣ部２１４から入力される応答信号を変調して拡散部２１６に出力する。
【００５０】
拡散部２１６は、制御部２１１によって設定されたＺＡＣ系列で応答信号を１次拡散し、１次拡散後の応答信号をＩＦＦＴ部２１７に出力する。つまり、拡散部２１６は、制御部２１１で選択されたリソースに対応する循環シフト量のＺＡＣ系列を用いて応答信号を１次拡散する。
【００５１】
ＩＦＦＴ部２１７は、１次拡散後の応答信号に対してＩＦＦＴを行い、ＩＦＦＴ後の応答信号をＣＰ付加部２１８に出力する。
【００５２】
ＣＰ付加部２１８は、ＩＦＦＴ後の応答信号の後尾部分と同じ信号をＣＰとしてその応答信号の先頭に付加する。
【００５３】
拡散部２１９は、制御部２１１によって設定されたブロックワイズ拡散コード系列でＣＰ付加後の応答信号を２次拡散し、２次拡散後の応答信号を無線送信部２２０に出力する。
【００５４】
無線送信部２２０は、２次拡散後の応答信号に対しＤ／Ａ変換、増幅およびアップコンバート等の送信処理を行ってアンテナ２０１から基地局１００（図１）へ送信する。
【００５５】
次に、ＣＣＥ割当部１０４におけるＣＣＥ割当方法の詳細について説明する。
【００５６】
ＣＣＥ割当部１０４は、各移動局宛ての割当情報を、複数のサーチスペースのうち、各移動局宛ての割当情報が割り当てられるＰＤＣＣＨのＣＣＥアグリゲーションサイズに対応するサーチスペースに各移動局宛てのＰＤＣＣＨを割り当てる。
【００５７】
ここで、ＣＣＥ割当部１０４には、図３に示すように、ＣＣＥアグリゲーションサイズ毎に対応するサーチスペースの開始位置であるＣＣＥ番号とサーチスペース長であるＣＣＥ数とが定義されたサーチスペース情報が入力される。例えば、ＣＣＥアグリゲーションサイズが１の場合に対応するサーチスペースは開始位置であるＣＣＥ番号をＣＣＥ＃０とし、ＣＣＥ数を１０として定義される。同様に、ＣＣＥアグリゲーションサイズが２の場合に対応するサーチスペースは開始位置であるＣＣＥ番号をＣＣＥ＃４とし、ＣＣＥ数を１２として定義される。ＣＣＥアグリゲーションサイズが４および８の場合も同様である。
【００５８】
よって、図４に示すように、ＣＣＥアグリゲーションサイズが１の場合、ＣＣＥ＃０〜ＣＣＥ＃９の１０個のＣＣＥで構成されるサーチスペースが定義され、ＣＣＥアグリゲーションサイズが２の場合、ＣＣＥ＃４〜ＣＣＥ＃１５の１２個のＣＣＥで構成されるサーチスペースが定義され、ＣＣＥアグリゲーションサイズが４場合、ＣＣＥ＃８〜ＣＣＥ＃２３の１６個のＣＣＥで構成されるサーチスペースが定義され、ＣＣＥアグリゲーションサイズが８の場合、ＣＣＥ＃１６〜ＣＣＥ＃３１の１６個のＣＣＥで構成されるサーチスペースが定義される。
【００５９】
すなわち、図４に示すように、ＣＣＥ割当部１０４は、ＣＣＥ＃０〜ＣＣＥ＃９のサーチスペースに、ＣＣＥアグリゲーションサイズが１のＰＤＣＣＨを最大１０個割り当てることができる。同様に、ＣＣＥ割当部１０４は、ＣＣＥ＃４〜ＣＣＥ＃１５のサーチスペースに、ＣＣＥアグリゲーションサイズが２のＰＤＣＣＨを最大６個割り当てることができ、ＣＣＥ＃８〜ＣＣＥ＃２３のサーチスペースに、ＣＣＥアグリゲーションサイズが４のＰＤＣＣＨを最大４個割り当てることができ、ＣＣＥ＃１６〜ＣＣＥ＃３１のサーチスペースに、ＣＣＥアグリゲーションサイズが８のＰＤＣＣＨを最大２個割り当てることができる。
【００６０】
例えば、基地局１００のＣＣＥ割当部１０４で、６個のＣＣＥアグリゲーションサイズが１のＰＤＣＣＨ、３個のＣＣＥアグリゲーションサイズが２のＰＤＣＣＨ、３個のＣＣＥアグリゲーションサイズが４のＰＤＣＣＨ、１個のＣＣＥアグリゲーションサイズが８のＰＤＣＣＨを割り当てる場合について説明する。
【００６１】
まず、ＣＣＥ割当部１０４は、図５に示すように、６個のＰＤＣＣＨ（ＣＣＥアグリゲーションサイズ：１）を、図４に示すＣＣＥアグリゲーションサイズが１の場合に対応するサーチスペース（ＣＣＥ＃０〜ＣＣＥ＃９）のうち、ＣＣＥ＃０〜ＣＣＥ＃５に割り当てる。次いで、ＣＣＥ割当部１０４は、図５に示すように、３個のＰＤＣＣＨ（ＣＣＥアグリゲーションサイズ：２）を、図４に示すＣＣＥアグリゲーションサイズが２の場合に対応するサーチスペース（ＣＣＥ＃４〜ＣＣＥ＃１５）のうち、ＣＣＥアグリゲーションサイズが１のＰＤＣＣＨが割り当てられていないＣＣＥ＃６とＣＣＥ＃７，ＣＣＥ＃８とＣＣＥ＃９およびＣＣＥ＃１０とＣＣＥ＃１１にそれぞれ割り当てる。そして、ＣＣＥ割当部１０４は、図５に示すように、３個のＰＤＣＣＨ（ＣＣＥアグリゲーションサイズ：４）を、図４に示すＣＣＥアグリゲーションサイズが４の場合に対応するサーチスペース（ＣＣＥ＃８〜ＣＣＥ＃２３）のうち、ＣＣＥアグリゲーションサイズが１および２のＰＤＣＣＨが割り当てられていないＣＣＥ＃１２〜ＣＣＥ＃１５，ＣＣＥ＃１６〜ＣＣＥ＃１９，ＣＣＥ＃２０〜ＣＣＥ＃２３にそれぞれ割り当てる。そして、図５に示すように、ＣＣＥ割当部１０４は、１個のＰＤＣＣＨ（ＣＣＥアグリゲーションサイズ：８）を、図４に示すＣＣＥアグリゲーションサイズが８の場合に対応するサーチスペース（ＣＣＥ＃１６〜ＣＣＥ＃３１）のうち、ＣＣＥアグリゲーションサイズが１、２および４のＰＤＣＣＨが割り当てられていないＣＣＥ＃２４〜ＣＣＥ＃３１に割り当てる。
【００６２】
移動局２００は、ＣＣＥアグリゲーションサイズに基づいたサーチスペースの定義を用いてＰＤＣＣＨの復調、復号、および、ブラインド判定を行う。これにより、移動局２００（図２）の復調部２０８、復号部２０９および判定部２１０のブラインド判定回数を削減することができる。具体的には、ＣＣＥアグリゲーションサイズを１と仮定してブラインド判定を行う場合、抽出部２０７は、図４に示すＣＣＥ＃０〜ＣＣＥ＃３１のうち、ＣＣＥ＃０〜ＣＣＥ＃９に対応する信号のみを復調部２０８に出力する。すなわち、復調部２０８、復号部２０９および判定部２１０では、ＣＣＥアグリゲーションサイズを１とした場合のブラインド判定の対象は、ＣＣＥ＃０〜ＣＣＥ＃９に対応するサーチスペースに限定される。同様に、ＣＣＥアグリゲーションサイズが２としてブラインド判定する場合も、抽出部２０７は、図４に示すＣＣＥ＃０〜ＣＣＥ＃３１のうち、ＣＣＥ＃４〜ＣＣＥ＃１５に対応する信号のみを復調部２０８に出力する。ＣＣＥアグリゲーションサイズを４と仮定する場合および８と仮定する場合も同様である。
【００６３】
このように、各移動局では、ＣＣＥアグリゲーションサイズに対応するサーチスペースを用いてブラインド復号する。すなわち、セル毎に１つのサーチスペース情報を定義することで、移動局では、基地局が移動局毎にサーチスペース情報を通知することなくブラインド復号することができる。
【００６４】
ここで、割当情報の誤り率特性の劣化を抑えるために、セルエッジ付近に位置する移動局宛ての割当情報のＭＣＳは低く設定される。このため、セルエッジ付近に位置する移動局に対するＰＤＣＣＨのＣＣＥアグリゲーションサイズは大きくなる。例えば、ＣＣＥアグリゲーションサイズ１，２，４，８のうち、セルエッジ付近に位置する移動局に対するＣＣＥアグリゲーションサイズは４または８となる。
【００６５】
また、セルサイズがより大きいセルほど、低いＭＣＳが設定された割当情報の送信を必要とする移動局、つまり、ＣＣＥアグリゲーションサイズがより大きいＰＤＣＣＨが割り当てられた移動局の割合がより高くなる。換言すると、セルサイズがより小さいセルほど、高いＭＣＳが設定された制御情報の送信をできる移動局、つまり、ＣＣＥアグリゲーションサイズがより小さいＰＤＣＣＨが割り当てられた移動局の割合がより高くなる。
【００６６】
そこで、基地局は、セルサイズによって異なるサーチスペースを定義する。つまり、セルサイズが大きい場合、より大きいＣＣＥアグリゲーションサイズに対してより広いサーチスペースが定義され、より小さいＣＣＥアグリゲーションサイズに対してより狭いサーチスペースが定義される。また、セルサイズが小さい場合、より大きいＣＣＥアグリゲーションサイズに対してより狭いサーチスペースが定義され、より小さいＣＣＥアグリゲーションサイズに対してより広いサーチスペースが定義される。
【００６７】
そして、ＣＣＥ割当部１０４は、制御情報を、セル毎に定義された複数のサーチスペースのうちの特定のサーチスペースに割り当てる。
【００６８】
例えば、図３に示すサーチスペース情報が設定されたセルよりもセルサイズが大きいセルにおけるサーチスペース情報の一例を図６に示す。具体的には、ＣＣＥアグリゲーションサイズが１の場合に対応するサーチスペースは開始位置であるＣＣＥ番号をＣＣＥ＃０とし、ＣＣＥ数を６として定義される。同様に、ＣＣＥアグリゲーションサイズが２の場合に対応するサーチスペースは開始位置であるＣＣＥ番号をＣＣＥ＃２とし、ＣＣＥ数を８として定義される。ＣＣＥアグリゲーションサイズが４および８の場合も同様である。
【００６９】
すなわち、図７に示すように、ＣＣＥ割当部１０４は、ＣＣＥ＃０〜ＣＣＥ＃５のサーチスペースに、ＣＣＥアグリゲーションサイズが１のＰＤＣＣＨを最大６個割り当てることができる。同様に、ＣＣＥ割当部１０４は、ＣＣＥ＃２〜ＣＣＥ＃９のサーチスペースに、ＣＣＥアグリゲーションサイズが２のＰＤＣＣＨを最大４個割り当てることができ、ＣＣＥ＃４〜ＣＣＥ＃２３のサーチスペースに、ＣＣＥアグリゲーションサイズが４のＰＤＣＣＨを最大５個割り当てることができ、ＣＣＥ＃８〜ＣＣＥ＃３１のサーチスペースに、ＣＣＥアグリゲーションサイズが８のＰＤＣＣＨを最大３個割り当てることができる。
【００７０】
ここで、図７に示すサーチスペースを、図４に示すサーチスペースと比較すると、より小さいＣＣＥアグリゲーションサイズ、つまり、ＣＣＥアグリゲーションサイズが１（またはＣＣＥアグリゲーションサイズが２）において、割り当てられるＰＤＣＣＨの数は、１０個（６個）から６個（４個）に減少している。一方、より大きいＣＣＥアグリゲーションサイズ、つまり、ＣＣＥアグリゲーションサイズが４（またはＣＣＥアグリゲーションサイズが８）において、割り当てられるＰＤＣＣＨの数は、４個（２個）から５個（３個）に増加している。すなわち、ＣＣＥ割当部１０４では、セルサイズが大きいほど、より大きいＣＣＥアグリゲーションサイズのＰＤＣＣＨがより多くなるため、ＣＣＥアグリゲーションサイズが大きいＰＤＣＣＨをより多く割り当てることができる。換言すると、ＣＣＥ割当部１０４では、セルサイズが小さいほど、より小さいＣＣＥアグリゲーションサイズのＰＤＣＣＨがより多くなるため、ＣＣＥアグリゲーションサイズが小さいＰＤＣＣＨをより多く割り当てることができる。
【００７１】
このように、本実施の形態によれば、移動局においてセル毎に定義されたサーチスペースのみをブラインド復号の対象とするため、ブラインド復号を行う回数を削減することができる。また、各移動局では、基地局から全移動局向けにブロードキャストされるサーチスペース情報に基づいてサーチスペースを特定するため、移動局毎の新たな通知情報が不要となる。よって、本実施の形態によれば、通知情報によるオーバヘッドが増加することなく、ブラインド復号の回数を削減することができる。
【００７２】
さらに、本実施の形態によれば、ＣＣＥアグリゲーションサイズに対応づけられたサーチスペースにＰＤＣＣＨが割り当てられる。これより、複数のＣＣＥでは、使用されるＰＤＣＣＨのＣＣＥアグリゲーションサイズが限定される。よって、本実施の形態によれば、使用されるＰＤＣＣＨを構成するＣＣＥの最小番号ＣＣＥに対してのみＰＵＣＣＨと対応づけることで、ＰＵＣＣＨに確保するリソース量を削減することができる。
【００７３】
なお、本実施の形態では、ある移動局宛てにすべてのＣＣＥアグリゲーションサイズのＰＤＣＣＨが送信される可能性がある場合について説明した。しかし、本発明では、ＣＣＥアグリゲーションサイズを移動局毎に決定してもよい。例えば、セルエッジ付近に位置する移動局は、伝搬路品質が劣悪であるため、より低いＭＣＳで送信する割合が高くなる。よって、セルエッジ付近に位置する移動局のＣＣＥアグリゲーションサイズを４または８に限定する。また、セル中心に位置する移動局は、伝搬路品質が良好であるため、より高いＭＣＳで送信する割合が高くなる。よって、セル中心付近に位置する移動局のＣＣＥアグリゲーションサイズを１または２に限定する。これにより、サーチスペースをさらに特定することが容易となるため、移動局でのブラインド復号の回数をさらに削減することができる。
【００７４】
また、本実施の形態では、セルサイズに応じてサーチスペースの定義を設定する場合について説明したが、本発明は、セルサイズ以外の例えば、セル内の移動局の分布の偏りなどに応じてサーチスペースの定義を設定してもよい。
【００７５】
（実施の形態２）
実施の形態１の図４に示すサーチスペースでは、あるＣＣＥアグリゲーションサイズのＰＤＣＣＨが奇数個だけ使用されると、そのＣＣＥアグリゲーションサイズよりも大きいＣＣＥアグリゲーションサイズのＰＤＣＣＨとして使用できないＣＣＥが生じてしまうことがある。
【００７６】
例えば、図４に示すサーチスペースにおいて、ＣＣＥアグリゲーションサイズが１のＰＤＣＣＨが５個使用された場合、ＣＣＥ＃０〜ＣＣＥ＃４が占有される。このとき、ＣＣＥアグリゲーションサイズが２のＰＤＣＣＨのうち、ＣＣＥ＃４およびＣＣＥ＃５で構成されるＰＤＣＣＨは、ＣＣＥ＃４が既に使用されているため使用できなくなる。つまり、ＣＣＥ＃５は使用されないことになる。同様に、例えば、ＣＣＥアグリゲーションサイズが４のＰＤＣＣＨが３個使用された場合、ＣＣＥ＃８〜ＣＣＥ＃１９が占有される。このとき、ＣＣＥアグリゲーションサイズが８のＰＤＣＣＨのうち、ＣＣＥ＃１６〜ＣＣＥ＃２３で構成されるＰＤＣＣＨは、ＣＣＥ＃１６〜ＣＣＥ＃１９が既に使用されているため使用できなくなる。つまり、ＣＣＥ＃２０〜ＣＣＥ＃２３は使用されないことになる。このように、ＰＤＣＣＨを構成する一部のＣＣＥが他のＣＣＥアグリゲーションサイズのＰＤＣＣＨによって使用されることにより、ＣＣＥの利用効率が悪くなる。
【００７７】
そこで、本実施の形態では、割当情報を、ＣＣＥアグリゲーションサイズがより大きいほどＣＣＥ番号がより小さいＣＣＥで構成される特定のサーチスペースに割り当てる。
【００７８】
具体的には、図８に示すように、ＣＣＥアグリゲーションサイズが８の場合、ＣＣＥ＃０〜ＣＣＥ＃１５の１６個のＣＣＥで構成されるサーチスペースが定義され、ＣＣＥアグリゲーションサイズが４の場合、ＣＣＥ＃８〜ＣＣＥ＃２３の１６個のＣＣＥで構成されるサーチスペースが定義され、ＣＣＥアグリゲーションサイズが２の場合、ＣＣＥ＃１６〜ＣＣＥ＃２７の１２個のＣＣＥで構成されるサーチスペースが定義され、ＣＣＥアグリゲーションサイズが１の場合、ＣＣＥ＃２２〜ＣＣＥ＃３１の１０個のＣＣＥで構成されるサーチスペースが定義される。
【００７９】
ここで、基地局１００のＣＣＥ割当部１０４で、５個のＣＣＥアグリゲーションサイズが１のＰＤＣＣＨ、３個のＣＣＥアグリゲーションサイズが２のＰＤＣＣＨ、２個のＣＣＥアグリゲーションサイズが４のＰＤＣＣＨ、１個のＣＣＥアグリゲーションサイズが８のＰＤＣＣＨを割り当てる場合について説明する。
【００８０】
まず、ＣＣＥ割当部１０４は、図８に示すように、１個のＰＤＣＣＨ（ＣＣＥアグリゲーションサイズ：８）を、ＣＣＥアグリゲーションサイズが８の場合に対応するサーチスペース（ＣＣＥ＃０〜ＣＣＥ＃１５）のうち、ＣＣＥ＃０〜ＣＣＥ＃７に割り当てる。次いで、ＣＣＥ割当部１０４は、図８に示すように、２個のＰＤＣＣＨ（ＣＣＥアグリゲーションサイズ：４）を、ＣＣＥアグリゲーションサイズが４の場合に対応するサーチスペース（ＣＣＥ＃８〜ＣＣＥ＃２３）のうち、ＣＣＥアグリゲーションサイズが８のＰＤＣＣＨが割り当てられていないＣＣＥ＃８〜ＣＣＥ＃１１およびＣＣＥ＃１２〜ＣＣＥ＃１５にそれぞれ割り当てる。そして、ＣＣＥ割当部１０４は、図８に示すように、３個のＰＤＣＣＨ（ＣＣＥアグリゲーションサイズ：２）を、ＣＣＥアグリゲーションサイズが２の場合に対応するサーチスペース（ＣＣＥ＃１６〜ＣＣＥ＃２７）のうち、ＣＣＥアグリゲーションサイズが８および４のＰＤＣＣＨが割り当てられていないＣＣＥ＃１６とＣＣＥ＃１７，ＣＣＥ＃１８とＣＣＥ＃１９およびＣＣＥ＃２０とＣＣＥ＃２１にそれぞれ割り当てる。そして、図８に示すように、ＣＣＥ割当部１０４は、５個のＰＤＣＣＨ（ＣＣＥアグリゲーションサイズ：１）を、ＣＣＥアグリゲーションサイズが１の場合に対応するサーチスペース（ＣＣＥ＃２２〜ＣＣＥ＃３１）のうち、ＣＣＥ＃２２〜ＣＣＥ＃２６に割り当てる。また、ＰＤＣＣＨに使用されるＣＣＥ以外のＣＣＥ、つまり、未使用のＣＣＥは、ＣＣＥ＃０〜ＣＣＥ＃３１のうち末尾付近のＣＣＥ＃２７〜ＣＣＥ＃３１にまとまっている。
【００８１】
すなわち、ＣＣＥ割当部１０４では、複数の異なるＣＣＥアグリゲーションサイズのＰＤＣＣＨを割り当てる場合でも、未使用のＣＣＥを発生させることなく、連続した複数のＣＣＥに複数のＰＤＣＣＨを割り当てることができる。これにより、各ＣＣＥでは、ＣＣＥ番号が最も小さいＣＣＥから順に使用され、未使用のＣＣＥが生じる場合にはＣＣＥ番号が末尾付近のＣＣＥにまとまりやすくなる。
【００８２】
このように、より大きいＣＣＥアグリゲーションサイズのＰＤＣＣＨから順にＣＣＥ番号が小さいＣＣＥを使用する場合、ＣＣＥ割当部１０４では、より大きいＣＣＥアグリゲーションサイズのＰＤＣＣＨが割り当てられたＣＣＥの直後のＣＣＥから順に他のＣＣＥアグリゲーションサイズのＰＤＣＣＨを割り当てることができる。よって、実施の形態１のように他のＣＣＥアグリゲーションサイズのＰＤＣＣＨが既に割り当てられているためＣＣＥが使用不可になることを防ぎ、ＰＤＣＣＨを効率良く割り当てることができる。また、未使用のＣＣＥがＣＣＥ番号の末尾付近にまとまるため、例えば、基地局では、実際にＰＤＣＣＨを割り当てて送信するＣＣＥ数を削減（上記例では、２７個のＣＣＥに削減）して送信し、それにより空いたリソース（上記例では、ＣＣＥ＃２７〜ＣＣＥ＃３１の５個のＣＣＥ）をデータリソースとして有効利用することができる。なお、未使用のＣＣＥがＣＣＥ番号の末尾付近以外の箇所に存在する場合でも、基地局でＰＤＣＣＨを割り当てて送信するＣＣＥ数を削減することは可能であるが、どのＣＣＥが未使用であるかを通知するために膨大な制御情報量が必要となる。しかし、本実施の形態のように、未使用のＣＣＥがＣＣＥ番号の末尾付近にまとまる場合には、送信ＣＣＥ数のみを通知すればよいので、少ない制御情報量で済む。
【００８３】
このようにして、本実施の形態では、割当情報を、ＣＣＥアグリゲーションサイズがより多いほどＣＣＥ番号がより小さいＣＣＥで構成される特定のサーチスペースに割り当てる。これにより、ＣＣＥ番号が小さいＣＣＥから順に未使用となるＣＣＥが発生することなくＰＤＣＣＨを割り当てることができ、かつ、未使用となるＣＣＥをＣＣＥ番号末尾付近の連続するＣＣＥに集めることができる。よって、本実施の形態によれば、ＰＤＣＣＨを実施の形態１よりも効率良くＣＣＥに割り当てることができ、かつ、未使用ＣＣＥをデータリソースとして有効利用することができる。
【００８４】
（実施の形態３）
本実施の形態では、下り回線割当情報と上り回線割当情報とで複数のＣＣＥを共有する場合について説明する。
【００８５】
以下、本実施の形態におけるＣＣＥの割当方法の詳細について説明する。
【００８６】
＜割当方法１＞
本割当方法では、特定のサーチスペースを構成する複数のＣＣＥにおいて、下り回線割当結果を通知する下り回線割当情報を、ＣＣＥ番号が最も小さいＣＣＥから昇順に割り当て、上り回線割当結果を通知する上り回線割当情報を、ＣＣＥ番号が最も大きいＣＣＥから降順に割り当てる。
【００８７】
以下、具体的に説明する。ここでは、実施の形態２の図８に示すサーチスペースと同様のサーチスペースを用いる。また、ＣＣＥアグリゲーションサイズが１の場合に着目して説明する。
【００８８】
ＣＣＥ割当部１０４は、図９に示すように、ＣＣＥアグリゲーションサイズが１の場合に対応するサーチスペース（ＣＣＥ＃２２〜ＣＣＥ＃３１）において、下り回線割当情報（ＣＣＥアグリゲーションサイズ：１）を、ＣＣＥ番号が最も小さいＣＣＥであるＣＣＥ＃２２から昇順に割り当てる。つまり、ＣＣＥ割当部１０４は、下り回線割当情報を、ＣＣＥ＃２２〜ＣＣＥ＃３１の順に割り当てる。一方、ＣＣＥ割当部１０４は、図９に示すように、ＣＣＥアグリゲーションサイズが１の場合に対応するサーチスペース（ＣＣＥ＃２２〜ＣＣＥ＃３１）において、上り回線割当情報（ＣＣＥアグリゲーションサイズ：１）を、ＣＣＥ番号が最も大きいＣＣＥであるＣＣＥ＃３１から降順に割り当てる。つまり、ＣＣＥ割当部１０４は、下り回線割当情報を、ＣＣＥ＃３１〜ＣＣＥ＃２２の順に割り当てる。ＣＣＥアグリゲーションサイズが２，４，８の場合も同様である。
【００８９】
図９に示すＣＣＥ＃２２〜ＣＣＥ＃３１において、ＣＣＥ＃２２は下り回線割当情報のＰＤＣＣＨとしての使用頻度が最も高く、ＣＣＥ＃３１は上り回線割当情報のＰＤＣＣＨとしての使用頻度が最も高い。換言すると、ＣＣＥ＃２２は上り回線割当情報のＰＤＣＣＨとしての使用頻度が最も低い。つまり、図９に示すＣＣＥ＃２２〜ＣＣＥ＃３１において、上り回線割当情報のＰＤＣＣＨとしての使用頻度が最も低いＣＣＥ＃２２を下り回線割当情報のＰＤＣＣＨとして使用し、下り回線割当情報のＰＤＣＣＨとしての使用頻度が最も低いＣＣＥ＃３１を上り回線割当情報のＰＤＣＣＨとして使用する。
【００９０】
このようにして、本割当方法によれば、下り回線割当情報と上り回線割当情報とで複数のＣＣＥが共有して使用される場合でも、実施の形態２と同様の効果を得つつ、下り回線割当情報と上り回線割当情報とで複数のＣＣＥを効率良く使用することができる。
【００９１】
さらに、ある移動局に対して複数の下り回線割当情報または複数の上り回線割当情報が同時に送信されることは無い。そのため、移動局が下り回線割当情報を判定する場合には、ＣＣＥ番号が最も小さいＣＣＥからブラインド判定し、自局宛てのＰＤＣＣＨを見つけた時点で下り回線割当情報のブラインド判定を停止することにより、上り回線割当情報と下り回線割当情報とがランダムに配置されている場合と比較して、ブラインド判定の平均回数をより削減することができる。よって、本実施の形態によれば、移動局の消費電力を低減することができる。
【００９２】
＜割当方法２＞
本割当方法では、割当情報を、ＣＣＥアグリゲーションサイズがより大きいほどＣＣＥ番号がより小さいＣＣＥとＣＣＥ番号がより大きいＣＣＥとで対称に構成されるサーチスペースに割り当てる。
【００９３】
以下、具体的に説明する。図１０に示すように、ＣＣＥアグリゲーションサイズが８の場合、ＣＣＥ＃０〜ＣＣＥ＃７の８個のＣＣＥとＣＣＥ＃２４〜ＣＣＥ＃３１の８個のＣＣＥとで構成されるサーチスペースが定義され、ＣＣＥアグリゲーションサイズが４の場合、ＣＣＥ＃４〜ＣＣＥ＃１１の８個のＣＣＥとＣＣＥ＃２０〜ＣＣＥ＃２７の８個のＣＣＥとで構成されるサーチスペースが定義され、ＣＣＥアグリゲーションサイズが２の場合、ＣＣＥ＃８〜ＣＣＥ＃１３の６個のＣＣＥとＣＣＥ＃１８〜ＣＣＥ＃２３の６個のＣＣＥとで構成されるサーチスペースが定義され、ＣＣＥアグリゲーションサイズが１の場合、ＣＣＥ＃１２〜ＣＣＥ＃１９の８個のＣＣＥで構成されるサーチスペースが定義される。
【００９４】
つまり、各サーチスペースは、ＣＣＥ＃０〜ＣＣＥ＃３１の中心（ＣＣＥ＃１５とＣＣＥ＃１６との間）に対して、対称なＣＣＥの並びで構成される。
【００９５】
そして、ＣＣＥ割当部１０４は、図１０に示すように、割当例１と同様にして、下り回線割当情報を、各サーチスペース内のＣＣＥ番号が最も小さいＣＣＥから昇順に割り当て、上り回線割当情報を、各サーチスペース内のＣＣＥ番号が最も大きいＣＣＥから降順に割り当てる。つまり、図１０に示すＣＣＥ＃０〜ＣＣＥ＃３１のうち、中心よりＣＣＥ番号が小さいサーチスペース（ＣＣＥ＃０〜ＣＣＥ＃１５）は、下り回線割当情報のＰＤＣＣＨとしての使用頻度が高くなる一方で、中心よりＣＣＥ番号が大きいサーチスペース（ＣＣＥ＃１６〜ＣＣＥ＃３１）は上り回線割当情報のＰＤＣＣＨとしての使用頻度が高くなる。
【００９６】
このようにして、本割当方法によれば、割当方法１と比較して、互いに異なるＣＣＥアグリゲーションサイズの下り回線割当情報と上り回線割当情報とを分別して割り当てることができるため、下り回線割当情報のＣＣＥ数と上り回線割当情報のＣＣＥ数との割り当ての最適化を行うスケジューリングがより容易になる。
【００９７】
以上、ＣＣＥの各割当方法について説明した。
【００９８】
このようにして、本実施の形態によれば、下り回線割当情報と上り回線割当情報とで複数のＣＣＥが共有して使用される場合でも、通知情報によるオーバヘッドが増加することなく、ブラインド復号の回数を削減することができる。
【００９９】
なお、本実施の形態は、特定のサーチスペースを構成する複数のＣＣＥにおいて、上り回線割当情報を、ＣＣＥ番号が最も小さいＣＣＥから昇順に割り当て、下り回線割当情報を、ＣＣＥ番号が最も大きいＣＣＥから降順に割り当てる場合についても適用することで上記同様の効果を得ることができる。
【０１００】
（実施の形態４）
本実施の形態では、割当情報を、ＣＦＩ（Control Format Indicator）の値に従ってシフトされる特定のサーチスペースに割り当てる。
【０１０１】
ＰＤＣＣＨのリソース量を示す情報であるＣＦＩが基地局から各移動局に対して通知される。具体的には、ＣＦＩの値（＝３，２，１）と、割当情報が含まれるＯＦＤＭシンボル数とが対応する。ここで、上述したサーチスペース情報は、基地局から各移動局に対して準静的（semi-static）にブロードキャスト（Broadcast）されるのに対して、ＣＦＩは、基地局から各移動局に対してサブフレーム毎に動的（Dynamic）に通知される。すなわち、割当情報が含まれるＯＦＤＭシンボルは、サブフレーム毎に動的に変動する。そのため、割当情報が含まれるＯＦＤＭシンボル数、つまり、ＣＣＥ総数に応じたサーチスペースの定義を設定する場合、ＣＦＩが変動する度にサーチスペース情報を基地局から各移動局に通知する必要があるため、通知情報によるオーバヘッドが増加してしまう。
【０１０２】
そこで、本実施の形態では、割当情報を、ＣＦＩの値に従ってシフトされる特定のサーチスペースに割り当てる。
【０１０３】
以下、具体的に説明する。ここでは、ＣＦＩ＝３のときのサーチスペースは、図１１に示すように、実施の形態２の図８に示すサーチスペースと同様のサーチスペースを用いる。このとき、図１１に示すように、ＣＣＥ総数ＮＣＣＥ（３）＝３２とする。また、ＣＣＥアグリゲーションサイズが４である場合に対応するサーチスペースの開始位置ｎＣＣＥ４（３）＝８，ＣＣＥアグリゲーションサイズが２である場合に対応するサーチスペースの開始位置ｎＣＣＥ２（３）＝１６，ＣＣＥアグリゲーションサイズが１である場合に対応するサーチスペースの開始位置ｎＣＣＥ１（３）＝２２とし、これらの値が予め基地局から各移動局にブロードキャストされている。
【０１０４】
ＣＣＥ割当部１０４では、ＣＦＩ＝ｉ  （ｉ＝１，２，３）におけるサーチスペースを以下の式に基づいて算出してサーチスペースの定義を変更する。
ｎＣＣＥ４（ｉ）＝ｎＣＣＥ４（３）−ＮＣＣＥ（３）＋ＮＣＣＥ（ｉ）
ｎＣＣＥ２（ｉ）＝ｎＣＣＥ２（３）−ＮＣＣＥ（３）＋ＮＣＣＥ（ｉ）
ｎＣＣＥ１（ｉ）＝ｎＣＣＥ１（３）−ＮＣＣＥ（３）＋ＮＣＣＥ（ｉ）
ここで、算出結果が負となる場合、そのサーチスペースの開始位置をＣＣＥ＃０とする。上式右辺の第２項および第３項は、ＣＦＩ＝３のサブフレームのＣＣＥ総数とＣＣＥ＝ｉのサブフレームのＣＣＥ総数との差を表す。よって、ＣＦＩ＝ｉの場合の各ＣＣＥアグリゲーションサイズに対応するサーチスペースの開始位置は、ＣＦＩ＝３の場合の各ＣＣＥアグリゲーションサイズに対応するサーチスペースの開始位置からＣＣＥ総数の差だけＣＣＥ番号を前方にシフトさせた位置となる。
【０１０５】
例えば、ＣＦＩ＝２のサブフレームの場合、ＣＣＥ総数ＮＣＣＥ（２）＝２４であるので、ＣＣＥ割当部１０４では、上式に基づいてサーチスペースを定義する。具体的には、以下のように各ＣＣＥアグリゲーションサイズに対応するサーチスペースの開始位置が算出される。
ｎＣＣＥ４（２）＝ｎＣＣＥ４（３）−ＮＣＣＥ（３）＋ＮＣＣＥ（２）＝０
ｎＣＣＥ２（２）＝ｎＣＣＥ２（３）−ＮＣＣＥ（３）＋ＮＣＣＥ（２）＝８
ｎＣＣＥ１（２）＝ｎＣＣＥ１（３）−ＮＣＣＥ（３）＋ＮＣＣＥ（２）＝１４
【０１０６】
よって、ＣＣＥ割当部１０４は、ＣＦＩ＝２の場合、図１２に示すサーチスペースを定義する。すなわち、ＣＦＩ＝２の場合の各ＣＣＥアグリゲーションサイズに対応するサーチスペースは、ＣＦＩ＝３のＣＣＥ総数（ＮＣＣＥ（３）＝３２）とＣＦＩ＝２のＣＣＥ総数（ＮＣＣＥ（２）＝２４）との差である８個のＣＣＥだけＣＣＥ番号をシフトする。つまり、ＣＣＥ割当部１０４では、サーチスペースがＣＦＩの値に従ってシフトする。同様にして、ＣＣＥ割当部１０４は、ＣＦＩ＝１の場合（ＣＣＥ総数ＮＣＣＥ（１）＝1４）にも各ＣＣＥアグリゲーションサイズに対応するサーチスペースの開始位置に対応するＣＣＥ番号を算出することで、図１３に示すサーチスペースを得ることができる。ただし、図１３において、ＣＣＥアグリゲーションサイズが４および２の場合に対応するサーチスペースの開始位置ｎＣＣＥ４（１）、ｎＣＣＥ２（１）を算出すると、算出結果が負となるため、開始位置ｎＣＣＥ４（１）＝ｎＣＣＥ２（１）＝０とする。
【０１０７】
また、移動局２００の判定部２１０（図２）は、ＣＣＥ割当部１０４と同様にして、基地局１００から通知されるＣＦＩの値に従ってシフトされる特定のサーチスペースに割り当てられた割当情報のみに対して自局宛ての割当情報であるか否かをブラインド判定する。すなわち、ＣＦＩが変動する場合でも、共通のサーチスペースの定義を基地局１００のＣＣＥ割当部１０４と移動局２００の判定部２１０との間で常に得ることができる。
【０１０８】
このようにして、本実施の形態によれば、移動局では、ＣＦＩの値が変更する場合でも、基地局から各移動局に対してブロードキャストされるサーチスペースの定義を用いてサーチスペースの定義を変更する。これにより、さらなる通知情報によるオーバヘッドが増加することなくＣＦＩの値に従って最適なサーチスペースを構成することができる。よって、本実施の形態によれば、ＣＦＩが変動する場合でも、実施の形態２と同様の効果を得ることができる。
【０１０９】
（実施の形態５）
本実施の形態では、ＣＣＥとＰＵＣＣＨとを対応付ける場合について説明する。
【０１１０】
ＣＣＥとＰＵＣＣＨとを対応付ける際、移動局では、自局宛の割当情報が配置されているＰＤＣＣＨを構成する１つまたは複数のＣＣＥのうち最小番号のＣＣＥに対応するＰＵＣＣＨを自局用のＰＵＣＣＨと判定する。よって、すべてのＣＣＥに対してＰＵＣＣＨが１対１で対応付けられる場合、ＣＣＥアグリゲーションされると、実際に使用されないＰＵＣＣＨが発生し、リソース使用効率が悪くなる。例えば、移動局で、自局宛ての割当情報が配置されている物理リソースに対応するＣＣＥがＣＣＥ＃０〜ＣＣＥ＃３である場合は、ＣＣＥ＃０〜ＣＣＥ＃３において最小番号のＣＣＥ＃０に対応するＰＵＣＣＨ＃０を自局用のＰＵＣＣＨと判定する。つまり、自局用のＰＵＣＣＨ以外のＰＵＣＣＨ＃１〜ＰＵＣＣＨ＃３の３個のＰＵＣＣＨが使用されなくなり無駄となる。
【０１１１】
そこで、例えば、実施の形態４の図１１に示すようなサーチスペースを定義する場合、移動局では、各サーチスペースに属するＰＤＣＣＨを構成する複数のＣＣＥに対して、ＣＣＥアグリゲーションサイズに相当するＣＣＥ数に１個のＰＵＣＣＨを対応付ける。例えば、ＣＣＥアグリゲーションサイズが８のＰＤＣＣＨを構成する複数のＣＣＥに対しては、８個のＣＣＥに対して１個のＰＵＣＣＨを対応付ければよく、ＣＣＥアグリゲーションサイズが４のＰＤＣＣＨを構成する複数のＣＣＥに対しては、４個のＣＣＥに対して１個のＰＵＣＣＨを対応付ければよい。つまり、ＣＣＥアグリゲーションサイズがｎのＰＤＣＣＨを構成する複数のＣＣＥに対しては、ｎ個のＣＣＥに対して１個のＰＵＣＣＨを対応付ければよい。
【０１１２】
しかしながら、実施の形態４で述べたように、ＣＦＩの値がサブフレーム毎に変動すると、各ＣＣＥアグリゲーションサイズに対応するサーチスペースの範囲がシフトする。このため、各ＣＣＥアグリゲーションサイズのＰＤＣＣＨを構成するＣＣＥがＣＦＩの値によって異なり、各ＣＣＥアグリゲーションサイズのＰＤＣＣＨを構成するＣＣＥと対応付けられたＰＵＣＣＨが異なってしまう。つまり、ＣＦＩの値が異なると、ＣＣＥとＰＵＣＣＨとの対応付けが最適で無くなってしまう。
【０１１３】
また、ＣＦＩの値が変動する度に、ＣＣＥとＰＵＣＣＨリソースとの対応付けを基地局から移動局へ通知すると、通知情報によるオーバヘッドが増加してしまう。
【０１１４】
そこで、本実施の形態では、下り回線割当情報が含まれるＣＣＥと下り回線データに対する応答信号が割り当てられる特定のＰＵＣＣＨリソースとの対応付けであってＣＦＩの値に応じて変化する対応付けに従ってその応答信号のＺＡＣ系列の循環シフト量およびブロックワイズ拡散コード系列を制御する。
【０１１５】
本実施の形態に係る移動局２００の判定部２１０（図２）は、複数のＰＵＣＣＨのうち下り回線データに対する応答信号が割り当てられる特定のＰＵＣＣＨを、ＣＦＩの値に応じて実施の形態４と同様にして変化する複数のサーチスペースのうち自局宛ての割当情報が割り当てられたＰＤＣＣＨのＣＣＥアグリゲーションサイズに対応する特定のサーチスペースに割り当てられたＰＤＣＣＨが占有するＣＣＥに基づいて判定する。
【０１１６】
制御部２１１は、判定部２１０で判定された特定のＰＵＣＣＨとＺＡＣ系列の循環シフト量およびブロックワイズ拡散コード系列との対応付けであってＣＦＩの値に応じて変化する対応付けに従って応答信号のＺＡＣ系列の循環シフト量およびブロックワイズ拡散コード系列を制御する。
【０１１７】
以下、具体的に説明する。本実施の形態では、実施の形態４の図１１（ＣＦＩ＝３）、図１２（ＣＦＩ＝２）、図１３（ＣＦＩ＝１）と同様のサーチスペースを用いる。また、実施の形態４と同様にして、基地局１００から移動局２００に対して、サーチスペース情報（ｎＣＣＥ４（３）＝８，ｎＣＣＥ２（３）＝１６，ｎＣＣＥ１（３）＝２２）がブロードキャストされる。
【０１１８】
制御部２１１では、複数のＰＵＣＣＨのうち、ＣＣＥアグリゲーションサイズが最小のＰＤＣＣＨが占有するＣＣＥの最小番号と対応付けられたＰＵＣＣＨリソースを確保する。
【０１１９】
まず、ＣＦＩ＝３の場合について説明する。図１１に示すＣＣＥ＃０〜ＣＣＥ＃３１（ＣＦＩ＝３）において、ＣＣＥアグリゲーションサイズが４の場合に対応するサーチスペースの開始位置ｎＣＣＥ４（３）＝８（ＣＣＥ＃８）の直前までのＣＣＥ＃０〜ＣＣＥ＃７では、ＰＤＣＣＨを構成するＣＣＥの最小番号ＣＣＥ＃０に対して１つのＰＵＣＣＨリソースが対応付けられる。
【０１２０】
次いで、図１１に示すように、ＣＣＥアグリゲーションサイズが４の場合に対応するサーチスペースの開始位置ｎＣＣＥ４（３）＝８（ＣＣＥ＃８）から、ＣＣＥアグリゲーションサイズが２の場合に対応するサーチスペースの開始位置ｎＣＣＥ２（３）＝１６（ＣＣＥ＃１６）の直前までのＣＣＥ＃８〜ＣＣＥ＃１５では、最小のＣＣＥアグリゲーションサイズあるＣＣＥアグリゲーションサイズが４の２個のＰＤＣＣＨをそれぞれ構成するＣＣＥの最小番号ＣＣＥ＃８，ＣＣＥ＃１２に対して、２つのＰＵＣＣＨリソースが対応付けられる。
【０１２１】
同様にして、図１１に示すように、ＣＣＥアグリゲーションサイズが２の場合に対応するサーチスペースの開始位置ｎＣＣＥ２（３）＝１６（ＣＣＥ＃１６）から、ＣＣＥアグリゲーションサイズが１の場合に対応するサーチスペースの開始位置ｎＣＣＥ１（３）＝２２（ＣＣＥ＃２２）の直前までのＣＣＥ＃１６〜ＣＣＥ＃２１では、最小のＣＣＥアグリゲーションサイズであるＣＣＥアグリゲーションサイズが２の３個のＰＤＣＣＨをそれぞれ構成するＣＣＥの最小番号ＣＣＥ＃１６，ＣＣＥ＃１８，ＣＣＥ＃２０に対して３つのＰＵＣＣＨリソースが対応付けられる。
【０１２２】
同様にして、図１１に示すように、ＣＣＥアグリゲーションサイズが１の場合に対応するサーチスペースの開始位置ｎＣＣＥ１（３）＝２２（ＣＣＥ＃２２）以上のＣＣＥ＃１６〜ＣＣＥ＃３１では、ＣＣＥアグリゲーションサイズが１の１０個のＰＤＣＣＨをそれぞれ構成するＣＣＥ＃２２〜ＣＣＥ＃３１に対して１０個のＰＵＣＣＨリソースが対応付けられる。
【０１２３】
すなわち、ＣＦＩ＝ｉでのＣＣＥに対応する領域において、開始位置ｎＣＣＥ４（ｉ）未満の領域では、８個のＣＣＥに対して１つのＰＵＣＣＨリソースが対応付けられる。また、開始位置ｎＣＣＥ４（ｉ）以上、かつ、開始位置ｎＣＣＥ２（ｉ）未満の領域では、４個のＣＣＥに対して１つのＰＵＣＣＨリソースが対応付けられる。同様に、開始位置ｎＣＣＥ２（ｉ）以上、かつ、開始位置ｎＣＣＥ１（ｉ）未満の領域では、２個のＣＣＥに対して１つのＰＵＣＣＨリソースが対応づけられる。そして、開始位置ｎＣＣＥ１（ｉ）以上の領域では、１個のＣＣＥに対して１つのＰＵＣＣＨリソースが対応付けられる。
【０１２４】
このようにして、制御部２１１では、基地局１００からブロードキャストされるサーチスペース情報に基づいて、ＣＦＩの値に応じて変化するＣＣＥとＰＵＣＣＨリソースとの対応付けに従って応答信号のＰＵＣＣＨリソースを制御する。
【０１２５】
ここで、図１４に示すように、ＰＵＣＣＨに対応する物理リソースの使用に関する優先順位（各系列番号の使用順序）が基地局から移動局に予め通知されているとする。ただし、ＰＵＣＣＨ番号のより小さい物理リソース（ＰＵＣＣＨリソース）が優先してＣＣＥと対応付けられる。図１４に示す対応付けでは、ＺＡＣ系列の循環シフト量（０〜１１）とブロックワイズ拡散コード系列の系列番号（０〜２）とによってＰＵＣＣＨ番号が定義される。このとき、ＣＣＥと対応付けられるＰＵＣＣＨリソースは、図１５に示すようになる。具体的には、図１５に示すように、ＣＣＥ＃０に対応付けられたＰＵＣＣＨ番号は、ＺＡＣ系列＃０とブロックワイズ拡散コード系列＃０とによって定義され、ＣＣＥ＃８に対応付けられたＰＵＣＣＨ番号は、ＺＡＣ系列＃０とブロックワイズ拡散コード系列＃２とによって定義される。なお、本発明はこれらの系列長に限定されない。
【０１２６】
次に、ＣＦＩ＝２におけるＣＣＥとＰＵＣＣＨリソースとの対応付けについて説明する。
【０１２７】
ＣＦＩ＝３の場合と同様にして、制御部２１１では、複数のＰＵＣＣＨのうち、ＣＦＩ＝２でのサーチスペースにおいてＣＣＥアグリゲーションサイズが最小のＰＤＣＣＨが占有するＣＣＥの最小番号とＰＵＣＣＨリソースを対応付ける。
【０１２８】
すなわち、ＣＦＩ＝２の場合には、図１２に示すように、ＣＣＥ＃０〜ＣＣＥ＃７では、ＣＣＥアグリゲーションサイズが４のＰＤＣＣＨを構成するＣＣＥの最小番号ＣＣＥ＃０，ＣＣＥ＃４とそれぞれＰＵＣＣＨリソースが対応付けられ、ＣＣＥ＃８〜ＣＣＥ＃１３では、ＣＣＥアグリゲーションサイズが２のＰＤＣＣＨを構成するＣＣＥの最小番号ＣＣＥ＃８，ＣＣＥ＃１０，ＣＣＥ＃１２とそれぞれＰＵＣＣＨリソースが対応付けられ、ＣＣＥ＃１４〜ＣＣＥ＃２３では、ＣＣＥアグリゲーションサイズが１のＰＤＣＣＨを構成するＣＣＥ＃１４〜ＣＣＥ＃２３とそれぞれＰＵＣＣＨリソースが対応付けられる。
【０１２９】
このとき、ＣＣＥ番号に対応付けられるＰＵＣＣＨリソースは、図１６に示すようになる。ここで、ＣＦＩ＝３で対応付けされるＰＵＣＣＨリソース（図１５）とＣＦＩ＝２で対応付けされるＰＵＣＣＨリソース（図１６）とを比較すると、図１６に示すＣＦＩ＝２のＰＵＣＣＨリソースでは、対応付けされるＰＵＣＣＨリソースが削減されている。また、図１５に示すＰＵＣＣＨリソースと図１６に示すＰＵＣＣＨリソースとでは、異なるＣＣＥ番号と対応付けられている。
【０１３０】
このように、本実施の形態によれば、移動局では、基地局からブロードキャストされるサーチスペース情報を用いることで、ＣＦＩの値が変動する場合でも、ＣＦＩの値に応じて変更されるサーチスペースに基づいたＣＣＥとＰＵＣＣＨとの対応付けを行うことができ、必要最低限のＰＵＣＣＨリソースのみを確保すれば、ＣＦＩの値が変化しても過不足なく応答信号送信のためのリソースを用意することができる。
【０１３１】
なお、制御部２１１では、ＣＦＩ＝１の場合についても同様にして、図１７に示すように、ＣＣＥとＰＵＣＣＨリソースとの対応付けを更新する。
【０１３２】
このようにして、本実施の形態によれば、移動局では、特定のＣＦＩの値におけるサーチスペース情報（各ＣＣＥアグリゲーションサイズに対応するサーチスペースの開始位置）に基づいて、ＣＦＩの値の変化に応じたＣＣＥとＰＵＣＣＨリソースとの対応付けを行うことができる。よって、本実施の形態によれば、ＣＦＩの値が変動する度にＣＣＥとＰＵＣＣＨリソースとの対応付けを基地局から各移動局に通知することなく、ＣＦＩに応じて変化するサーチスペースの定義においてＣＣＥとＰＵＣＣＨリソースとを最適に対応付け、必要最低限のＰＵＣＣＨリソースのみ確保すれば、ＣＦＩの値が変化しても過不足なく応答信号送信のためのリソースを用意することができる。
【０１３３】
なお、本実施の形態では、ＰＵＣＣＨリソースを図１５、図１６、図１７に示すＺＡＣ系列とブロックワイズ拡散コード系列との対応付けに基づいて定義する場合について説明したが、本発明は、図１５、図１６、図１７に示すＺＡＣ系列とブロックワイズ拡散コード系列との対応付けに限定されない。
【０１３４】
また、ＰＵＣＣＨのリソースとして、ＺＡＣ系列の循環シフト量およびブロックワイズ拡散コード系列以外のリソースを用いてもよい。例えば、サブキャリアなどの周波数で区別されるリソース、または、ＳＣ−ＦＤＭＡシンボルなどの時間で区別されるリソースでもよい。
【０１３５】
以上、本発明の各実施の形態について説明した。
【０１３６】
なお、上記実施の形態における１サブフレームあたりに使用可能なＣＣＥの総数（１サブフレーム内に存在可能なＣＣＥの総数）は、システム帯域幅、ＣＣＥとして使用可能なＯＦＤＭシンボル数、下り回線／上り回線データのリソース割当結果以外の通知に使用される制御信号（例えば、上り回線データに対するＡＣＫ／ＮＡＣＫ等）の総数によって変化する。
【０１３７】
また、上記実施の形態の説明で用いたＰＵＣＣＨは、ＡＣＫまたはＮＡＣＫをフィードバックするためのチャネルであるため、ＡＣＫ／ＮＡＣＫチャネルと称されることもある。
【０１３８】
また、上記実施の形態では、ＣＣＥとＰＵＣＣＨ（下り回線データに対する応答信号）とを対応付ける場合について説明したが、本発明は、ＣＣＥとＰＨＩＣＨ（Physical Hybrid ARQ Indicator Channel）とを対応付けても上記同様の効果を得ることができる。ここで、ＰＨＩＣＨには上り回線データに対する応答信号が割り当てられる。
【０１３９】
また、本発明は、図１８に示すサーチスペースの定義を用いる場合にも上記同様にして実施可能である。図１８では、複数の移動局をグループ化して、グループ毎に使用するサーチスペースとＣＣＥアグリゲーションサイズ毎に使用するサーチスペースとを併用する。このように、複数のＣＣＥを複数の移動局グループ毎に分けて、各グループで本発明を適用する場合でも、上記同様の効果を得ることができる。また、図１９に示すサーチスペースの定義を用いる場合にも上記同様にして実施可能である。図１９に示すように、各ＣＣＥアグリゲーションサイズに対応するサーチスペースが互いに重ならないように構成される。これにより、上記同様の効果を得ることができ、かつ、互いに異なるサーチスペースが重ならないため、ＰＵＣＣＨリソースに確保するリソースをさらに削減することができる。
【０１４０】
また、本発明は、応答信号以外の制御情報をフィードバックする場合にも上記同様にして実施可能である。
【０１４１】
また、移動局は端末局、UE、MT、MS、STA（Station）と称されることもある。また、基地局はNode B、BS、APと称されることもある。また、サブキャリアはトーンと称されることもある。また、ＣＰはガードインターバル（Guard Interval；ＧＩ）と称されることもある。また、ＣＣＥ番号はＣＣＥインデックス（CCE Index）と称されることもある。
【０１４２】
また、誤り検出の方法はＣＲＣに限られない。
【０１４３】
また、周波数領域と時間領域との間の変換を行う方法は、ＩＦＦＴ、ＦＦＴに限られない。
【０１４４】
また、上記実施の形態では、下り回線の伝送方式にＯＦＤＭ、上り回線の伝送方式にＳＣ−ＦＤＭＡを用いて信号を送信する場合について説明したが、本発明は、ＯＦＤＭおよびＳＣ−ＦＤＭＡ以外の伝送方式を用いても適用可能である。
【０１４５】
また、上記実施の形態では、本発明をハードウェアで構成する場合を例にとって説明したが、本発明はソフトウェアで実現することも可能である。
【０１４６】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１４７】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１４８】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１４９】
２００７年１０月２９日出願の特願２００７−２８０９２０の日本出願に含まれる明細書、図面および要約書の開示内容は、すべて本願に援用される。
【産業上の利用可能性】
【０１５０】
本発明は、移動体通信システム等に適用することができる。
【図１】
2010279053.tif 000003
【図２】
2010279053.tif 000004
【図３】
2010279053.tif 000005
【図４】
2010279053.tif 000006
【図５】
2010279053.tif 000007
【図６】
2010279053.tif 000008
【図７】
2010279053.tif 000009
【図８】
2010279053.tif 000010
【図９】
2010279053.tif 000011
【図１０】
2010279053.tif 000012
【図１１】
2010279053.tif 000013
【図１２】
2010279053.tif 000014
【図１３】
2010279053.tif 000015
【図１４】
2010279053.tif 000016
【図１５】
2010279053.tif 000017
【図１６】
2010279053.tif 000018
【図１７】
2010279053.tif 000019
【図１８】
2010279053.tif 000020
【図１９】
2010279053.tif 000021